【手続補正書】
【提出日】平成19年2月19日(2007.2.19)
【手続補正１】
【補正対象書類名】明細書
【補正対象項目名】全文
【補正方法】変更
【補正の内容】
【書類名】        明細書
【発明の名称】  ガス処理方法及びガス処理装置
【特許請求の範囲】
【請求項１】  管路の敷設区間の途中で入れ替えや更生修理を行う場合にその入れ替え工事や更生修理作業の対象となる工事対象管路に残留するガスを処理するガス処理方法であって、
上記工事対象管路と、上記工事対象管路の下流近傍であって、上記工事対象管路とは遮断された残置管路との間にバイパス管路を設け、
上記バイパス管路中で上記工事対象管路に残留する上記ガスを回収し、上記ガスの圧力を上記残置管路内を流れるガスの圧力に調整した後、上記残置管路に向け流す
ことを特徴とするガス処理方法。
【請求項２】  請求項１記載のガス処理方法において、
上記バイパス管路には、
上記工事対象管路に残留する上記ガスの圧力を上記バイパス管路の入り口で調整する入り口側圧力調整部と、
上記入り口側圧力調整部からの上記ガスを溜めて上記ガスの圧力を一定化するリザーバタンクと、
上記リザーバタンクからの上記ガスの圧力を上記残置管路内を流れるガスの圧力に調整する出口側圧力調整部と
が備えられていることを特徴とするガス処理方法。
【請求項３】  管路の敷設区間の途中で入れ替えや更生修理を行う場合にその入れ替え工事や更生修理作業の対象となる工事対象管路の下流近傍であって、上記工事対象管路とは遮断された残置管路に対してガスを供給するガス処理方法であって、
上記工事対象管路の近傍に敷設されている既存管路と上記残置管路とに連通する中継管路を設け、
該中継管路中で上記既存管路から供給されるガスの圧力を上記残置管路内を流れるガスの圧力に調整した後、上記残置管路に向け流す
ことを特徴とするガス処理方法。
【請求項４】  管路の敷設区間の途中で入れ替えや更生修理を行う場合にその入れ替え工事や更生修理作業の対象となる工事対象管路に残留するガスを処理するガス処理装置であって、
上記工事対象管路と、上記工事対象管路の下流近傍であって、上記工事対象管路とは遮断された残置管路との間に、
上記工事対象管路に残留する上記ガスを回収し、上記ガスの圧力を上記残置管路内を流れるガスの圧力に調整して上記残置管路に向け流すバイパス管路
を設けたことを特徴とするガス処理装置。
【請求項５】  請求項４記載のガス処理装置において、
上記バイパス管路には、
上記工事対象管路に残留する上記ガスの圧力を上記バイパス管路の入り口で調整する入り口側圧力調整部と、
上記入り口側圧力調整部からの上記ガスを溜めて上記ガスの圧力を一定化するリザーバタンクと、
上記リザーバタンクからの上記ガスの圧力を上記残置管路内を流れるガスの圧力に調整する出口側圧力調整部と
が備えられていることを特徴とするガス処理装置。
【請求項６】  管路の敷設区間の途中で入れ替えや更生修理を行う場合にその入れ替え工事や更生修理作業の対象となる工事対象管路の下流近傍であって、上記工事対象管路とは遮断された残置管路に対してガスを供給するガス処理装置であって、
上記工事対象管路の近傍に敷設されている既存管路と上記残置管路との間に、
上記既存管路から供給されるガスの圧力を上記残置管路内を流れるガスの圧力に調整して上記残置管路に向け流す中継管路
を設けたことを特徴とするガス処理装置。
【発明の詳細な説明】
【０００１】
【産業上の利用分野】
本発明は、ガス処理方法及びガス処理装置に関し、さらに詳しくは、工事対象区間以外の管路へガスを供給するためのガス処理方法及びガス処理装置に関する。
【０００２】
【従来の技術】
ガス生成工場より生産された都市ガスは、大口径の高圧ライン，中口径の中圧ライン，小口径の低圧ライン，及び供給管を経て需要家に供給されている。そして近年、大地震等の災害に備えて各ラインの管路メンテナンスを実施している。このような管路メンテナンスを行う場合には、通常メンテナンス対象区域のガスを遮断して、管路の入替え，または更生修理等が行われる。ガスを遮断する場合には、一例として、予め管路に設けられている遮断バルブを閉塞するか、または管路内にエアバッグ（風船）を導入して管内で膨張させ、管内を流通するガスを遮断する工法が用いられている。
【０００３】
入れ替えや更生修理を行われる工事対象管路は、近傍に位置して内部にガスが流された状態で遮断されている管路と違って、遮断されないで内部にガスが残ったままとなっている関係上、そのガスの処理が必要となる。
従来、工事対象管路内に残ったガスの処理方法としては、図３に示す構造を用いた方法が採用されていた。
図３において、工事対象管路Ａには、回収用管路Ｂが接続され、その接続管路Ｂには放散圧力調整弁Ｃを介してガスを大気放散可能な放散筒Ｄが設けられている。放散筒Ｄには、放散筒Ｄ内に溜まったガスを放散するとともに工事対象管路Ａ内に残っているガスを放散筒Ｄに導入するためのブロワＤ１が設けられている。
一方、工事対象管路Ａの近傍に位置してガスの流れる方向（図示矢印方向）で工事対象管路Ａの後方に位置する残置管路Ｅには、供給用管路Ｆが連結され、その供給用管路Ｆには図示しないが、ボンベ等のガス供給源が接続されている。供給用管路Ｆには、残置管路Ｅ内を流れる圧力に調整するための調整弁Ｇが設けられている。上記放散筒Ｄは、通常、トラックなどの車両に搭載されており、工事現場にその車両が準備されるようになっている。
このような構成を用いた処理方法は、工事対象管路Ａに残ったガスがブロワＤ１により生起される圧力を利用して放散筒Ｄに向け吸引される。工事対象管路Ａに残っているガスは、放散圧力調整弁Ｃによって吸引量、換言すれば、放散量を調整されてブロワＤ１によって放散筒Ｄから大気放散される。
【０００４】
【発明が解決しようとする課題】
上記処理方法では、大気放散が前提であるので環境に配慮した安全確保が必要となる。このため、ガスを無害化するための吸着フイルタ等の特殊な部材を準備しなければならず、これによって工事に係るコストが上昇してしまう虞がある。また、工事対象管路内に残ったガスは消費されることなく放散されてしまうので、未使用ガスの量が多くなった場合には放散されてしまう無駄なガスの量も多くなり、工事による供給ロスが大きくなる。一方、残置管路Ｅに対してガス供給源を用いてガス供給が継続される場合には、残置管路Ｅ側での供給量を永続的に維持することには限界がある。このため、工事期間を早めて残置管路Ｅへのガスの供給不足が生じるのを防止する必要があり、結果として、工事時間に制約を受けることになる。
【０００５】
本発明の目的は、上記従来のガス処理方法、特に工事対象管路内に残ったガスの処理方法における問題に鑑み、工事に係るコストの低減とガス供給のロスを低減することができるとともに、工事対象管路の後方に位置する管路に対して工事期間の長さに関係なく、特に長期間の工事が行われる場合でも継続的なガスの供給が可能なガス処理方法及びガス処理装置を提供することにある。
【０００６】
【課題を解決するための手段】
この目的を達成するため、請求項１記載の発明に係るガス処理方法は、管路の敷設区間の途中で入れ替えや更生修理を行う場合にその入れ替え工事や更生修理作業の対象となる工事対象管路に残留するガスを処理するガス処理方法であって、上記工事対象管路と、上記工事対象管路の下流近傍であって、上記工事対象管路とは遮断された残置管路との間にバイパス管路を設け、上記バイパス管路中で上記工事対象管路に残留する上記ガスを回収し、上記ガスの圧力を上記残置管路内を流れるガスの圧力に調整した後、上記残置管路に向け流すことを特徴としている。
【０００７】
請求項２記載の発明は、請求項１記載のガス処理方法において、上記バイパス管路には、上記工事対象管路に残留する上記ガスの圧力を上記バイパス管路の入り口で調整する入り口側圧力調整部と、上記入り口側圧力調整部からの上記ガスを溜めて上記ガスの圧力を一定化するリザーバタンクと、上記リザーバタンクからの上記ガスの圧力を上記残置管路内を流れるガスの圧力に調整する出口側圧力調整部とが備えられていることを特徴としている。
【０００８】
請求項３記載の発明に係るガス処理方法は、管路の敷設区間の途中で入れ替えや更生修理を行う場合にその入れ替え工事や更生修理作業の対象となる工事対象管路の下流近傍であって、上記工事対象管路とは遮断された残置管路に対してガスを供給するガス処理方法であって、上記工事対象管路の近傍に敷設されている既存管路と上記残置管路とに連通する中継管路を設け、該中継管路中で上記既存管路から供給されるガスの圧力を上記残置管路内を流れるガスの圧力に調整した後、上記残置管路に向け流すことを特徴としている。
【０００９】
請求項４記載の発明に係るガス処理装置は、管路の敷設区間の途中で入れ替えや更生修理を行う場合にその入れ替え工事や更生修理作業の対象となる工事対象管路に残留するガスを処理するガス処理装置であって、上記工事対象管路と、上記工事対象管路の下流近傍であって、上記工事対象管路とは遮断された残置管路との間に、上記工事対象管路に残留する上記ガスを回収し、上記ガスの圧力を上記残置管路内を流れるガスの圧力に調整して上記残置管路に向け流すバイパス管路を設けたことを特徴としている。
【００１０】
請求項５記載の発明は、請求項４記載のガス処理装置において、上記バイパス管路には、上記工事対象管路に残留する上記ガスの圧力を上記バイパス管路の入り口で調整する入り口側圧力調整部と、上記入り口側圧力調整部からの上記ガスを溜めて上記ガスの圧力を一定化するリザーバタンクと、上記リザーバタンクからの上記ガスの圧力を上記残置管路内を流れるガスの圧力に調整する出口側圧力調整部とが備えられていることを特徴としている。
【００１１】
請求項６記載の発明に係るガス処理装置は、管路の敷設区間の途中で入れ替えや更生修理を行う場合にその入れ替え工事や更生修理作業の対象となる工事対象管路の下流近傍であって、上記工事対象管路とは遮断された残置管路に対してガスを供給するガス処理装置であって、上記工事対象管路の近傍に敷設されている既存管路と上記残置管路との間に、上記既存管路から供給されるガスの圧力を上記残置管路内を流れるガスの圧力に調整して上記残置管路に向け流す中継管路を設けたことを特徴としている。
【００１２】
【作用】
請求項１及び請求項２に記載の発明に係るガス処理方法では、工事対象管路とこの工事対象管路の下流近傍であって、上記工事対象管路とは遮断された残置管路とがバイパス管路によって連結されており、そのバイパス管路中で上記工事対象管路に残留するガスが調圧されて上記残置管路に向け流される。これにより、工事対象管路に残留するガスをすべて上記残置管路に供給することができるので、大気放散の際に用いられる特殊なフイルタなどを要しないで済む。しかも、上記残置管路に流されるガスはその残置管路内を流れるガスの圧力に調整されているので、工事対象管路内のガスを無駄にすることがない。
【００１３】
請求項３に記載の発明に係るガス処理方法では、工事対象管路の近傍に敷設されている既存管路から残置管路に対してガスを供給することができるので、ガス供給源を用いる場合に比べて長期的なガスの供給を継続させることができる。
【００１４】
請求項４及び請求項５に記載の発明に係るガス処理装置では、工事対象管路とこの工事対象管路の下流近傍であって、上記工事対象管路とは遮断された残置管路とがバイパス管路によって連結されており、そのバイパス管路中で上記工事対象管路に残留するガスが調圧されて上記残置管路に向け流される。これにより、工事対象管路に残留するガスをすべて上記残置管路に供給することができるので、大気放散の際に用いられる特殊なフイルタなどを要しないで済む。しかも、上記残置管路に流されるガスはその残置管路内を流れるガスの圧力に調整されているので、工事対象管路内のガスを無駄にすることがない。
【００１５】
請求項６に記載の発明に係るガス処理装置では、工事対象管路の近傍に敷設されている既存管路から残置管路に対してガスを供給することができるので、ガス供給源を用いる場合に比べて長期的なガスの供給を継続させることができる。
【００１６】
【実施例】
以下、図示実施例により本発明の詳細を説明する。
図１は、本発明実施例によるガス処理方法及びガス処理装置に用いられる構造を説明するための模式図である。
同図において、工事対象管路１は、１．０Ｋｇ／ｃｍ２未満の圧力のガスを流す低圧管若しくは１〜３Ｋｇ／ｃｍ２未満の圧力のガスを流す中圧Ｂ管が対象となっている。
工事対象管路１には、近傍に位置してガスの流れる方向（図中矢印で示す方向）で工事対象管路１よりも高圧のガス、つまり、３〜１０Ｋｇ／ｃｍ２未満のガスが流される中圧Ａ管からなる残置管路２との間にバイパス管路３が設けられており、工事対象管路１に残留するガスが残置管路２に向け流されるようになっている。
【００１７】
バイパス管路３には、工事対象管路１側から順に入り口側圧力調整部４、リザーバタンク５及び出口側圧力調整部６がそれぞれ設けられている。
本実施例では、工事対象管路１が低圧管若しくは中圧Ｂ管であり、残置管路２が中圧Ａ管であるので、入り口側圧力調整部４には、残置管路２の圧力と同等な圧力とするための昇圧機が用いられ、出口側圧力調整部６には、リザーバタンク５からのガスの圧力が残置管路２が該当する中圧Ａ管でのガスの供給圧よりも低くなった場合にガスの流れを遮断する弁が用いられている。
入り口側圧力調整部４は、工事対象管路１に残留するガスをリザーバタンク５に向け導入するための吸引圧力を設定する部分であり、この圧力により工事対象管路１からリザーバタンク５に導入されるガスが出口側圧力調整部６に向け流動できるようにされている。
出口側圧力調整部６は、工事対象管路１からリザーバタンク５内に導入されたガスの圧力が残置管路２内でのガスの圧力以下になると、ガスの流れを遮断するために設けられている。つまり、工事対象管路１には圧力計（図示されず）を設置し、吸引不可圧力を検知して吸引装置を自動的に停止する方法により工事対象管路１に残留するガスの量が少なくなって残置管路２内のガスの圧力に達しなくなることを防止し、リザーバタンク５からのガスの流れを遮断して工事対象管路１側にガスが逆流するのを防止するようになっている。
【００１８】
本実施例は以上のような構造を用いることで工事対象管路１内の残留ガスを処理することができる。
つまり、工事対象管路１と残置管路２との間にバイパス管路３を連結し、バイパス管路３には入り口側圧力調整部４、リザーバタンク５及び出口側圧力調整部６をそれぞれ接続する。
工事対象管路１内に残ったガスは入り口側圧力調整部４によって吸引され、昇圧されてリザーバタンク５内に導入される。この場合のリザーバタンク５は、導入されたガスを溜めるバッファタンクとして用いられ、入り口側圧力調整部４から導入されるガスの圧力を一定化している。
出口側圧力調整部６は、リザーバタンク５内のガスが入り口側圧力調整部４によって残置管路２に向け流されるとき、その圧力が残置管路２内を流れるガスの圧力に均衡させて流すことができるようになっており、リザーバタンク５内のガスの圧力が残置管路２を流れるガスの圧力未満となった場合にガスの流れを遮断する。
【００１９】
上記実施例によれば、リザーバタンク５から残置管路２に向け流れるガスの圧力が低下した場合には、工事対象管路１に残っているガスがなくなった状態であるので、入り口側圧力調整部４側が出口側圧力調整部６よりも圧力が低下していわゆる残置管路２に連結されているバイパス管路３内の圧力が負圧化傾向となり、残置管路２からガスが逆流するのを防止することができる。しかも、バイパス管路３内で工事対象管路１内のガスを残置管路２に導入させることができるので、従来のように、放散筒などの設備を搭載した車両を準備する手間が省ける。
なお、上記実施例では、工事対象管路１に対して残置管路２を流れるガスの圧力が高い場合を説明したが、本発明ではこれに限るものではなく、この例とは逆の場合を対象とすることも可能である。
また、工事区間が長い場合などにおいて、工事対象管路１から残置管路２に向けガスを供給する際の圧力が低下する場合においても、上記実施例と同様に、昇圧機構を利用して残置管路２での圧力を維持させるようにすることも可能である。
【００２０】
次に、本発明の別実施例について説明する。
図２は、別実施例の原理構成を説明するための模式図であり、同図に示す実施例は、工事対象管路１の工事区間の後方に位置する残置管路２'に対して工事対象管路１の近くに既存管路１０が敷設されている場合、その既存管路１０からガスの供給を行うことを特徴としている。
図２において、工事区間の後方に位置する残置管路２'と既存管路１０との間には中継管路１１が設けられ、その中継管路１１には、調圧機構を備えた整圧部１２が配置されている。
整圧部１２は、既存管路１０と工事区間の後方に位置する残置管路２'との間の圧力を調整する部分であり、既存管路１０が中圧Ａ管で、上記残置管路２'が中圧Ｂ管若しくは低圧管の場合あるいは既存管路１０が中圧Ｂ管で残置管路２'が低圧管の場合には、減圧ガバナを用いて圧力調整され、また、既存管路１０内での圧力と残置管路２'内での圧力が上記と逆の関係にあるときには昇圧機構を用いて圧力調整される。
いずれの場合においても、本来、既存管路１０内で供給されるべきガスの圧力状態が変化しないように、遮断弁が用いられることは勿論である。
【００２１】
【発明の効果】
請求項１及び請求項２に記載の発明によれば、工事対象管路とこの工事対象管路の下流近傍であって、上記工事対象管路とは遮断された残置管路とがバイパス管路によって連結されており、そのバイパス管路中で上記工事対象管路に残留するガスが調圧されて上記残置管路に向け流される。これにより、工事対象管路に残留するガスをすべて上記残置管路に供給することができるので、大気放散の際に用いられる特殊なフイルタなどを要しないで済む。しかも、上記残置管路に流されるガスはその残置管路内を流れるガスの圧力に調整されているので、工事対象管路内のガスを無駄にすることがない。このため、放散時と違って環境への配慮に要する装置の設置などが不要になるので、工事に係るコストの低減が可能となるばかりでなく供給ガスを無駄にしない分、供給ロスを低減することが可能になる。
【００２２】
請求項３に記載の発明によれば、工事対象管路の近傍に敷設されている既存管路から残置管路に対してガスを供給することができるので、ガス供給源を用いる場合に比べて長期的なガスの供給を継続させることができる。これにより、工事期間の長短、特に長期間に渉る場合においても工事対象管路における工事区間の後方に位置する管路へのガス供給を継続することが可能となる。
【００２３】
請求項４及び請求項５に記載の発明によれば、工事対象管路とこの工事対象管路の下流近傍であって、上記工事対象管路とは遮断された残置管路とがバイパス管路によって連結されており、そのバイパス管路中で上記工事対象管路に残留するガスが調圧されて上記残置管路に向け流される。これにより、工事対象管路に残留するガスをすべて上記残置管路に供給することができるので、大気放散の際に用いられる特殊なフイルタなどを要しないで済む。しかも、上記残置管路に流されるガスはその残置管路内を流れるガスの圧力に調整されているので、工事対象管路内のガスを無駄にすることがない。このため、放散時と違って環境への配慮に要する装置の設置などが不要になるので、工事に係るコストの低減が可能となるばかりでなく供給ガスを無駄にしない分、供給ロスを低減することが可能になる。
【００２４】
請求項６に記載の発明によれば、工事対象管路の近傍に敷設されている既存管路から残置管路に対してガスを供給することができるので、ガス供給源を用いる場合に比べて長期的なガスの供給を継続させることができる。これにより、工事期間の長短、特に長期間に渉る場合においても工事対象管路における工事区間の後方に位置する管路へのガス供給を継続することが可能となる。
【図面の簡単な説明】
【図１】
本発明実施例によるガス処理を実施するために用いられ配管構造を説明するための模式図である。
【図２】
本発明の別実施例によるガス処理を実施するための配管構成を示す模式図である。
【図３】
ガス処理方法の従来例を説明するための配管構造を示す模式図である。
【符号の説明】
１        工事対象管路
２，２'   残置管路
３        バイパス管路
４        入り口側圧力調整部
５        リザーバタンク
６        出口側圧力調整部
１０      既存管路
１１      中継管路
１２      整圧部